(57)【要約】【課題】グレーティングを光ピックアップに組み付ける構造を低コストで実現できると共に、グレーティングの位相調整時にグレーティングを保持するホルダにアンバランスな荷重が加わり難い光ピックアップを提供する。【解決手段】光ピックアップが備えるグレーティングホルダ２０は、貫通孔２１ｃが形成されてグレーティング１２が接合保持される平面視略円形状の板状部２１と、板状部２１の板面から突出する少なくとも３つの突出部２２と、板状部２１の周縁部から突出部２２の突出方向とは反対側に突出し、弾性変形する少なくとも３つの突片部２３と、を有する。【選択図】図３
2011003230.tif 000002
【特許請求の範囲】
【請求項１】
光源と、
前記光源から出射される光を回折するグレーティングと、
前記グレーティングを保持するグレーティングホルダと、
を備える光ピックアップにおいて、
前記グレーティングホルダは、
貫通孔が形成されて前記グレーティングが接合保持される平面視略円形状の板状部と、
前記板状部の板面から突出する少なくとも３つの突出部と、
前記板状部の周縁部から前記突出部の突出方向とは反対側に突出し、弾性変形する少なくとも３つの突片部と、
を有することを特徴とする光ピックアップ。
【請求項２】
前記突出部と前記突片部との数が同一であることを特徴とする請求項１に記載の光ピックアップ。
【請求項３】
前記突出部と前記突片部との数がいずれも３つであることを特徴とする請求項２に記載の光ピックアップ。
【請求項４】
前記グレーティングは、前記板状部の前記突出部が形成される板面の裏面側に接着保持されていることを特徴とする請求項１から３のいずれかに記載の光ピックアップ。
【請求項５】
前記突出部は略半球形状であることを特徴とする請求項１から４のいずれかに記載の光ピックアップ。
【発明の詳細な説明】
【技術分野】
【０００１】
本発明は、光ディスクに記録される情報を読み取ったり、光ディスクに情報を書き込んだりするために使用される光ピックアップに関し、詳細には、サーボ信号を得る目的等で光ピックアップに備えられるグレーティング（回折格子）を光ピックアップに組み付けるにあたって好適となる技術に関する。
【背景技術】
【０００２】
従来、光ピックアップの光学系には、例えばトラッキングエラー信号等のサーボ信号を生成できるようにグレーティングが配置されている。このグレーティングは、光ピックアップに組み付ける際に位相調整が必要となるために、光軸回りに回転調整できるような状態で光ピックアップの収容部に取り付けられ、位相調整（回転調整）後に接着剤等で固定されるのが一般的である（例えば特許文献１や２参照）。
【０００３】
ところで、最近ではブルーレイディスク（以下、ＢＤと記載する）といった高容量の情報を記録できる光ディスクが実用化されているが、ＢＤ対応の光ピックアップではグレーティングの形状が従来に比べて複雑となる。このために、グレーティングを樹脂で形成するのは困難であり、グレーティングは、通常、ガラスで形成される。そして、このようにグレーティングをガラスで形成する場合には、特許文献１のようにグレーティング自体を回転する構成とするのは難しい。このため、特許文献２のようにグレーティングをホルダで保持し、ホルダを回転することによってクレーティングの位相調整を行うのが一般的となる。
【先行技術文献】
【特許文献】
【０００４】
【特許文献１】特開２００４−２２０３４号公報
【特許文献２】特開２００６−２６０６７８号公報
【発明の概要】
【発明が解決しようとする課題】
【０００５】
ここで、グレーティングを光ピックアップに組み付けるにあたって本出願人が採用している従来の構成について図面を参照しながら説明し、従来の構成の課題について説明する。図６は、従来の光ピックアップにおいてグレーティングを組み付ける際に使用される部材を抜き出して示した概略斜視図である。図７は、図６に示す構成を裏側から見た場合の概略斜視図である。図８は、従来の光ピックアップにおけるグレーティングの組み付け構造を示す概略平面図である。なお、図８において、符号１０５は光源であり、符号１０６は光源１０５を保持する光源用ホルダである。
【０００６】
図６に示すように、従来の光ピックアップにおいては、グレーティング１０１は接着剤等を用いて略円柱状のグレーティングホルダ１０２の略中央部に固定される。そして、図８に示されるように、このグレーティングホルダ１０２と、グレーティングホルダ１０２の背後に配置されるスプリング１０３とが、光ピックアッのベースに形成される収容部１０４に収容されることによって、グレーティング１０１は光ピックアップに組み付けられる。なお、グレーティングホルダ１０２とスプリング１０３とは接合されておらず、グレーティングホルダ１０２は回転可能な状態で収容部１０４に保持される。ただし、位相調整が終了した段階で、グレーティングホルダ１０２は回転しないように接着固定される。
【０００７】
図６及び図７に示されるように、グレーティングホルダ１０２には、グレーティング１０１を保持する保持部１０２ａと、グレーティング１０１の表面よりも高い位置に上面を有して収容部１０４の当て面１０４ａと当接する支点１０２ｂと、光を透過させるための貫通孔１０２ｃと、位相調整の際に調整治具を差し込むための溝１０２ｄと、が形成されている。
【０００８】
また、スプリング１０３には、光ピックアップのベースと係合する２つの係合部１０３ａ、１０３ｂと、２つの係合部１０３ａ、１０３ｂに挟まれてグレーティングホルダ１０２を押圧する山形状の弾性部１０３ｃと、が形成されている。なお、スプリング１０３の弾性部１０３ｃには、光が透過できるように切り欠き１０３ｄが形成されている。
【０００９】
グレーティングを光ピックアップに組み付ける従来の構成は以上のようであるが、この構成では、スプリング１０３によってグレーティングホルダ１０２の２つの位置（図７の破線の丸印を付した部分）に荷重が加わるようになっている。このように構成した場合、位相調整のためにグレーティングホルダ１０２を回転すると、荷重が加わる位置がずれて、荷重点に偏りが発生する状況が起こり易い。そして、位相調整時に荷重点の偏りが発生すると、グレーティング１０１の位置が望ましい位置からずれてしまう場合があり、問題となる。
【００１０】
また、従来の構成では、グレーティング１０１を光ピックアップに組み付けるにあたって、グレーティングホルダ１０２とスプリング１０３とを使用する構成であるが、低コスト化の要望からできる限り少ない部品点数とすることが望まれた。
【００１１】
なお、特許文献２において、グレーティングが固定され両端が開放された円筒状のホルダと、このホルダが回転可能に収容される円筒状の装置フレーム側収容部と、前記ホルダを前記装置フレーム側収容部に押圧固定する押圧手段と、有し、前記押圧手段を、前記ホルダに一体形成してなる光ピックアップが提案されている。この構成の場合、グレーティングホルダとスプリングとを別部品としなくて済むために、低コスト化が図れる。しかしながら、特許文献２の構成の場合には、ホルダばかりでなく装置フレームの構造も複雑となり、例えばその寸法管理等が大変になると考えられる。このため、特許文献２の構成の場合、部品点数の削減により低コスト化が図れるものの、更なる改良が望まれた。
【００１２】
以上の点を鑑みて、本発明は、グレーティングを光ピックアップに組み付ける構造を低コストで実現できると共に、グレーティングの位相調整時にグレーティングを保持するホルダにアンバランスな荷重が加わり難い光ピックアップを提供することを目的とする。
【課題を解決するための手段】
【００１３】
上記目的を達成するために本発明は、光源と、前記光源から出射される光を回折するグレーティングと、前記グレーティングを保持するグレーティングホルダと、を備える光ピックアップにおいて、前記グレーティングホルダは、貫通孔が形成されて前記グレーティングが接合保持される平面視略円形状の板状部と、前記板状部の板面から突出する少なくとも３つの突出部と、前記板状部の周縁部から前記突出部の突出方向とは反対側に突出し、弾性変形する少なくとも３つの突片部と、を有することを特徴としている。
【００１４】
本構成によれば、グレーティングホルダ自体が弾性を有するために、従来ホルダとは別に必要とされたスプリングを準備する必要がなく、グレーティングを回転調整可能に組み付けるために必要となる部材の数を減らすことができる。そして、本構成によれば、グレーティングを回転調整可能に組み付けるために使用されるグレーティングホルダは少ないプレス工程で製造可能である。このために、グレーティングを光ピックアップに組み付ける構造を低コストとできる。また、グレーティングホルダが備える突出部と突片部とをそれぞれ少なくとも３つ設ける構成としているために、グレーティングの位相調整を行うためにグレーティングホルダを回転する場合でもグレーティングホルダにアンバランスな荷重が加わり難くできる。
【００１５】
上記構成の光ピックアップにおいて、前記突出部と前記突片部との数が同一であるのが好ましく、更には、前記突出部と前記突片部との数がいずれも３つであるのがより好ましい。これにより、グレーティングを光ピックアップに組み付ける構造をより簡単な構造とできる。
【００１６】
上記構成の光ピックアップにおいて、前記グレーティングは、前記板状部の前記突出部が形成される板面の裏面側に接着保持されているのが好ましい。本構成によれば、グレーティングホルダの突片部が発揮する弾性を十分に確保しつつ、グレーティングホルダを小型とすることが可能である。
【００１７】
上記構成の光ピックアップにおいて、前記突出部は略半球形状であるのが好ましい。本構成によれば、少なくとも３つから成る突出部の高さ管理が行い易く、グレーティングの配置精度を向上できる。
【発明の効果】
【００１８】
本発明によれば、グレーティングを光ピックアップに組み付ける構造を低コストで実現できると共に、グレーティングの位相調整時にグレーティングを保持するホルダにアンバランスな荷重が加わり難い光ピックアップを提供することが可能である。
【図面の簡単な説明】
【００１９】
【図１】本実施形態の光ピックアップの外観構成を示す概略図
【図２】本実施形態の光ピックアップが備える光学構成を示す図
【図３】本実施形態の光ピックアップが備えるグレーティングホルダの構成を示す概略斜視図
【図４】本実施形態の光ピックアップにおけるグレーティングホルダの収容部周辺の構成を示す概略平面図
【図５】収容部に収容されたグレーティングホルダを光源側から見た概略平面図
【図６】従来の光ピックアップにおいてグレーティングを組み付ける際に使用される部材を抜き出して示した概略斜視図
【図７】図６に示す構成を裏側から見た場合の概略斜視図
【図８】従来の光ピックアップにおけるグレーティングの組み付け構造を示す概略平面図
【発明を実施するための形態】
【００２０】
以下、本発明の光ピックアップの実施形態について、図面を参照しながら詳細に説明する。なお、ここでは、本発明がＢＤに対して情報の読み取りや書き込みを行える光ピックアップに適用された場合を一例として採り上げて説明する。
（光ピックアップの概略構成）
【００２１】
まず、本実施形態の光ピックアップの概略構成について説明する。図１は、本実施形態の光ピックアップの外観構成を示す概略図で、図１（ａ）は概略平面図、図１（ｂ）は概略側面図である。図１に示すように、本実施形態の光ピックアップ１は、ピックアップベース２と、ピックアップベース２上に搭載される対物レンズアクチュエータ３と、を備える。なお、ピックアップベース２の左右には軸受け部２ａ、２ｂが設けられるが、これはピックアップベース２をガイドシャフト１０１に沿って摺動可能とするためである。
【００２２】
図２は、本実施形態の光ピックアップが備える光学構成を示す図である。なお、図２は、光ディスク１００側からフォーカス方向（情報記録面１００ａに対して垂直な方向；図１（ｂ）参照）に沿って見た場合の概略平面図である。
【００２３】
図２に示すように、本実施形態の光ピックアップ１には、光源１１と、グレーティング１２と、偏光ビームスプリッタ１３と、１／４波長板１４と、コリメートレンズ１５と、立上げミラー１６と、対物レンズ１７と、センサレンズ１８と、受光素子１９と、が備えられる。これらの部材のうち、対物レンズ１７以外の部材はピックアップベース２（図１参照）上に搭載されている。対物レンズ１７は、対物レンズアクチュエータ３（図１参照）に搭載されている。
【００２４】
光源１１はＢＤ用のレーザ光（例えば波長４０５ｎｍ帯のレーザ光）を出射する半導体レーザである。なお、光源１１からは直線偏光が出射されるようになっている。光源１１から出射されたレーザ光はグレーティング１２に送られる。
【００２５】
グレーティング１２は、光源１１から送られてきたレーザ光を回折して主光と２つの副光とに分ける。このように主光と副光とに分けるのは、トラッキングサーボ制御を行うために必要なトラッキングエラー信号を得られるようにするためである。本実施形態の光ピックアップ１においては、公知の手法であるＤＰＰ（Differential Push-Pull）法を用いてトラッキングエラー信号が得られるように形成されている。グレーティング１２から出射したレーザ光は偏光ビームスプリッタ１３に送られる。
【００２６】
偏光ビームスプリッタ１３は、光源１１から出射される直線偏光と同じ偏光方向の直線偏光を反射し、光源１１から出射される直線偏光に対して偏光方向が９０度回転された直線偏光を透過するように形成されている。このため、グレーティング１２から偏光ビームスプリッタ１３に送られたレーザ光は、偏光ビームスプリッタ１３で反射される。偏光ビームスプリッタ１３で反射されたレーザ光は、１／４波長板１４に送られる。
【００２７】
１／４波長板１４は、入射する直線偏光を円偏光に変換するとともに、入射する円偏光を直線偏光に変換する機能を有する。偏光ビームスプリッタ１３から送られて１／４波長板１４を通過するレーザ光は、直線偏光から円偏光へと変換されてコリメートレンズ１５に送られる。
【００２８】
コリメートレンズ１５は、図示しないレンズ駆動ユニットに搭載されて光軸方向（図２の矢印Ａで示す方向）に移動可能となっている。このようにコリメートレンズ１５を移動可能とするのは、コリメートレンズ１５から出射されるレーザ光の状態を発散光としたり、収束光としたりできるようにするためである。そして、このように光の状態を変更可能とするのは、球面収差の補正を行えるようにするためである。コリメートレンズ１５から出射されたレーザ光は立上げミラー１６へと送られる。
【００２９】
立上げミラー１６は、略直方体状の部材で形成され、金属薄膜等で覆われて入射するレーザ光を全て反射する反射面１６ａを有する。この立上げミラー１６によってコリメートレンズ１５から立上げミラー１６へと送られたレーザ光は、その進行方向を変換されて対物レンズ１７へと送られる。
【００３０】
対物レンズ１７は、ＢＤ用に設計された高ＮＡ（例えばＮＡ＝０．８５）の対物レンズであり、立上げミラー１６から送られて来たレーザ光を光ディスク１００の情報記録面１００ａに集光する。対物レンズ１７によって情報記録面１００ａに集光されたレーザ光は、情報記録面１００ａで反射される。
【００３１】
なお、対物レンズ１７は上述のように対物レンズアクチュエータ３に搭載され、フォーカス方向やトラッキング方向（光ディスクの径方向と平行な方向）に移動可能となっている。対物レンズ１７をフォーカス方向に移動可能とするのは、対物レンズ１７の焦点位置が常に情報記録面に合うように制御（フォーカスサーボ制御）するためである。また、対物レンズ１７をトラッキング方向に移動可能とするのは、対物レンズ１７によって集光された光スポットが、光ディスク１００に形成されるトラックに常に追随するように制御（トラッキングサーボ制御）するためである。
【００３２】
対物レンズアクチュエータ３の構成は特に限定されるものではないが、本実施形態の光ピックアップ１では、対物レンズ１７を保持するレンズホルダをワイヤ（棒状弾性部材）によって揺動可能に懸架し、電磁力を利用してレンズホルダと共に対物レンズ１７をフォーカス方向及びトラッキング方向へと移動できる構成となっている。このようなタイプの対物レンズアクチュエータの構成は公知であるので、ここでは、その詳細な構成については説明を省略する。
【００３３】
情報記録面１００ａで反射された戻り光は、対物レンズ１７を透過し、立上げミラー１６で反射される。そして、コリメートレンズ１５を通過後、１／４波長板１４で円偏光から直線偏光に変換される。この直線偏光の偏光方向は、光源１１から出射された直線偏光の偏光方向を９０度回転した方向である。このため、１／４波長板１４を通過した戻り光は、偏光ビームスプリッタ１３を透過する。すなわち、偏光ビームスプリッタ１３と１／４波長板１４とは、協働して光アイソレータとして機能する。
【００３４】
偏光ビームスプリッタ１３を透過した戻り光は、センサレンズ１８で所定の非点収差を与えられて受光素子１９の受光面に集光する。受光素子１９は、受光した光信号を電気信号へと変換して出力し、出力された電気信号は処理されて、再生信号やサーボ信号（フォーカスエラー信号やトラッキングエラー信号等）等となる。
【００３５】
なお、センサレンズ１８は、非点収差を付与する手段であればよく、例えばシリンドリカルレンズやホログラム素子等が用いられる。また、センサレンズ１８で所定の非点収差を与えるのは、非点収差方式のフォーカスエラー信号が得られるようにするためである。
【００３６】
本実施形態の光ピックアップ１の概略構成は以上のようであるが、本実施形態の光ピックアップ１は、グレーティング１２をピックアップベース２に組み付ける構成に特徴を有する。詳細には、グレーティング１２はグレーティングホルダに保持された状態でピックアップベース２に組み付けられるが、このグレーティングホルダが特徴的な構成となっている。以下、グレーティング１２を保持するグレーティングホルダの構成について説明する。
（グレーティングホルダの構成）
【００３７】
図３は、本実施形態の光ピックアップが備えるグレーティングホルダの構成を示す概略斜視図である。図３（ａ）は斜め上方から見た図で、図３（ｂ）は斜め下方から見た図である。光ピックアップ１が備えるグレーティングホルダ２０は板金部材をプレス加工することにより得られる。そして、図３に示すように、このグレーティングホルダ２０は、平面視略円形状の板状部２１と、板状部２１の板面から突出する突出部２２と、板状部２１の周縁部から突出部２２の突出方向とは反対側に向けて突出する突片部２３と、を有している。
【００３８】
図３（ｂ）を参照して、平面視略円形状の板状部２１の中央付近には、グレーティング１２を配置するための平面視略矩形状の浅い溝２１ａが形成されている。なお、図３（ａ）を参照した場合には、この溝２１ａは突出部２２と同一方向に突出する突部となるが、突出部２２と比べると、その突出量は少ない。また、この平面視略矩形状の溝２１ａの周囲２箇所からは平面視略Ｕ字状の溝２１ｂが延び出している（図３（ａ）及び図３（ｂ）参照）。この平面視略Ｕ字状の溝２１ｂは接着剤を充填するために使用される。
【００３９】
なお、グレーティング１２の接着固定の手順としては、例えば、グレーティング１２を平面視略矩形状の溝２１ａに配置し、平面視略Ｕ字状の溝２１ｂにＵＶ接着剤を充填し、グレーティング１２の位置を調整した後にＵＶ光を照射することによって接着固定するという方法が採用される。
【００４０】
平面視略矩形状の溝２１ａの中央には、平面視略円形状の貫通孔２１ｃが形成されている。この貫通孔２１ｃは、光源１１から出射されるレーザ光を透過してグレーティング１２へと導くために設けられている。また、板状部２１の周縁部の一箇所には、平面視略矩形状の切り欠き部２１ｄが形成されている。この切り欠き部２１ｄは、後述のようにグレーティングホルダ２０に接着固定されたグレーティング２１の位相調整を行う際に使用される。
【００４１】
突出部２２は、板状部２２をプレスすることによって形成され、本実施形態においては３つの突出部２２が設けられている。この３つの突出部２２の突出量は同一となるように調整されている。また、この３つの突出部２２は、隣り合う突出部２２との間隔が等間隔となるように配置されている。換言すれば、３つの突出部２２は、平面視略円形状の板状部２１の中心を基準としてほぼ１２０°おきに回転した位置に配置されている。
【００４２】
本実施形態においては、突出部２２の形状は略半球形状となっている。このように突出部２２を略半球形状とした場合、３つの突出部２２の頂点によって平面を形成しやすい。このため、グレーティングホルダ１２に保持されるグレーティング１２を、ピックアップベース２に精度良く配置し易くなる。なお、後述のように、この突出部２２は支点としての役割を担う。
【００４３】
突片部２３は、平面視略円形状の板状部２１の周縁部から延出する略矩形状の板片を鈍角に折曲げ形成してなる。本実施形態においては、突片部２３は３つ形成されているが、いずれも同一形状となっている。図３（ａ）を参照して、この３つの突片部２３は、いずれも、突出部２２が形成される位置から反時計回り方向にずれた位置に形成されている。そして、この３つの突片部２３は、突出部２２と同様に、隣り合う突片部２３との間隔が等間隔となるように配置されている。換言すれば、３つの突片部２３は、平面視略円形状の板状部２１の中心を基準としてほぼ１２０°おきに回転した位置に配置されている。
【００４４】
各突片部２３は、板状部２１の板面に対してほぼ垂直方向に負荷が加わった場合に弾性変形し、いわゆる板バネとしての役割を果たす。また、突片部２３の先端側は鋭角に折曲げ形成されており、その先端部は角ばらずに丸みを帯びた状態となっている。これは、突片部２３の先端に当接する部材に損傷を与えないようにするためである。
【００４５】
以上のように形成されるグレーティングホルダ２０は、例えば２回のプレス工程で形成することが可能であり、少ないプレス工程で作製可能である。したがって、グレーティングホルダ２０は安価に作製することが可能である。次に、このようなグレーティングホルダ２０を用いてグレーティング１２を光ピックアップ１に組み付ける構成について説明する。
【００４６】
（グレーティングの組み付け構成）
図４は、本実施形態の光ピックアップにおけるグレーティングホルダの収容部周辺の構成を示した概略平面図である。図５は、収容部に収容されたグレーティングホルダを光源側から見た概略平面図である。なお、図５は、ピックアップベース２の一部である側壁２ｃが無いものとして描いている。また、図５において、符号３０は光源１１を保持する光源用ホルダである。
【００４７】
図４に示すように、グレーティングホルダ２０は、平面視略矩形状のグレーティング用の収容部４に収容される。なお、この収容部４は、樹脂で形成されるピックアップベース２に一体的に形成されている。図示しないが、収容部４を構成する側壁２ｃ、２ｄには貫通孔が形成されており、光源１１から出射されたレーザ光がグレーティング１２を通過し、更には偏光ビームスプリッタ１３へと至るようになっている。
【００４８】
グレーティングホルダ２０は、３つの突出部２２の各頂点が当て面４ａ（側壁２ｃを構成する面）に当接し、３つの突片部２３の先端が当て面４ｂ（側壁２ｄを構成する面）に当接するように収容部４に収容される。上述のようにグレーティングホルダ２０の突片部２３は弾性力を有し、突片部２３の弾性変形によって突出部２２が収容部４の当て面４ａに押圧された状態で、グレーティングホルダ２０は収容部４に収容される。すなわち、グレーティングホルダ２０の突出部２０は支点として機能している。
【００４９】
また、図５に示すように、収容部４には、互いに向き合った状態で対称配置される一対の斜面４ｃが形成されている。そして、グレーティングホルダ２０は、平面視略円形状に形成される板状部２１がこの一対の斜面４ｃと当接するように収容部４に収容される。
【００５０】
収容部４に収容されたグレーティングホルダ２０は、グレーティング１２の位相調整を行うべく、図示しない棒状の調整治具を切り欠き部２１ｄに差し込むことによって回転される。なお、この回転調整は、調整治具によってグレーティングホルダ２０の板状部２１を一対の斜面４ｃに押し付けながら行われる。これにより、グレーティングホルダ２０の回転調整時にグレーティングホルダ２０の回転軸がぶれることを抑制できる。
【００５１】
なお、回転調整が終了するとグレーティングホルダ２０は動かないように接着固定される。また、本実施形態の場合、グレーティングホルダ２０の突片部２３と収容部４の壁面との接触のためにグレーティングホルダ２０の回転量は一定の量に規制されるが、位相調整のために行うグレーティングホルダ２０の回転量はそれほど大きなものでなく、この点は特に問題とならない。ただし、回転量をより大きくしたければ、収容部４の構成を適宜変更すればよい。
【００５２】
以上のようにグレーティング１２を光ピックアップ１に組み付ける場合、グレーティングホルダ２０のみで、従来のホルダ１０２とスプリング１０３（図６参照）との役割を果せるために従来に比べて部品点数を減らせる。また、グレーティングホルダ２０は板金部材を用いて少ないプレス工程で形成できる。更に、グレーティングホルダ２０を収容する収容部４の構成は従来と比較して特に複雑とならない。このため、本実施形態の光ピックアップ１は低コストで作製可能となる。
【００５３】
また、本実施形態のグレーティングホルダ２０は、突出部２２及び突片部２３の構成を工夫して、突片部２３が弾性変形した場合に加わる荷重のバランスが均一となるようにしている。このために、グレーティングホルダ２０の回転調整時に荷重点に偏りが生じ、結果としてグレーティング１２が位置ずれてしまうという事態も抑制することができる。
【００５４】
（その他）
本発明の適用範囲は、以上に示した実施形態の構成に限定されるものではない。本発明の目的を逸脱しない範囲で、以上に示した実施形態の構成について、種々の変更を行うことができる。
【００５５】
例えば、以上に示した実施形態では、グレーティングホルダ２０が備える突出部２２と突片部２３との数がいずれも３つであるように構成した。しかし、突出部２２と突片部２３との数は、いずれも少なくとも３つは必要であるが３つに限定されるものではない。また、突出部２２と突片部２３の数は同一でなくても構わない。すなわち、一例として、突出部２２を３つとし、突片部２３を５つとする構成等としてもよい。ただし、構成が複雑とならないように、突出部２２と突片部２３とはなるべく少ないのが好ましく、本実施形態のようにいずれも３つとするのがより好ましい。
【００５６】
また、以上に示した実施形態では、グレーティングホルダ２０が備える突出部２２を略半球状としたが、この形状に限定されるものではなく、支点としての機能を果たせば良く、適宜形状を変更しても構わない。
【００５７】
また、以上に示した実施形態では、グレーティングホルダ２０は、突出部２２が形成される板面とは反対の面側でグレーティング１２を保持する構成とした。しかし、この構成に限定される趣旨ではなく、突出部２２が形成される板面側でグレーティング１２を保持する構成としても構わない。ただし、本実施形態のように構成した方が、必要な弾性力を確保しつつ小型化できるので好ましい。この点、もう少し詳細に説明する。
【００５８】
例えば収容部４の幅（図４の紙面上下方向を指している）が限られている場合、グレーティング１２を突出部２２が形成される板面側で接合保持する構成とすると、突片部２３の長さを短くする必要が生じる。この場合、グレーティングホルダ２０の弾性力が不十分となる場合がある。一方、弾性力を確保しようとすると突片部２３の長さを伸ばす必要があるために、グレーティングホルダ２０が大型化する。更に、グレーティング２０を突出部２２が形成される板面側で接合保持する構成とすると、突出部２２の突出量を大きくする必要が生じ、この場合、板状部２１のサイズを大型化する必要が生じる場合がある。その結果、グレーティングホルダ２０の大型化につながる場合がある。このようなことから、本実施形態のように突出部２２が形成される板面とは反対の面側でグレーティング１２を保持する構成とした方が、グレーティングホルダ２０を小型化できて好ましい。
【００５９】
また、以上に示した実施形態では、グレーティングホルダ２０の突出部２２の当て面をピックアップベース２の側壁２ｃとした。しかしながら、この構成に限定される趣旨ではなく、例えば、光源１１を保持する光源用ホルダ３０を突出部２２の当て面とする構成としても構わない。また、更には、グレーティングホルダ２０の配置について本実施形態の構成と反対とし、突出部２２が偏光ビームスプリッタ１３側の当て面と当接し、突片部２３の先端が光源１１側の当て面と当接するようにしても構わない。
【００６０】
その他、以上においては、光ピックアップはＢＤ対応のものであるとしたが、ＢＤ対応に限らず、他の種類の光ディスクに対応する光ピックアップにも本発明が適用できるのは勿論である。
【産業上の利用可能性】
【００６１】
本発明は、例えばＢＤ対応の光ピックアップ等、グレーティングをホルダで保持して組み付けるタイプの光ピックアップに好適である。
【符号の説明】
【００６２】
１  光ピックアップ
１１  光源
１２  グレーティング
２０  グレーティングホルダ
２１  板状部
２１ｃ  貫通孔
２２  突出部
２３  突片部
【図１】
2011003230.tif 000003
【図２】
2011003230.tif 000004
【図３】
2011003230.tif 000005
【図４】
2011003230.tif 000006
【図５】
2011003230.tif 000007
【図６】
2011003230.tif 000008
【図７】
2011003230.tif 000009
【図８】
2011003230.tif 000010